(57)【要約】      （修正有）【課題】  何度もの注水に対しても十分な機械的強度を有し、接着剤や留め具を必要とせずに、現場で簡単に組み立てることができる生分解性の一体組み立て式プランターポットの提供。【解決手段】  硬質繊維ボードが折り線に沿って折り曲げられた時に、折り出される側板部１，１’および漏れ防止板５，５’が底板部２の辺に折り線を介して連結されており、側板部は折り線を介して連結された飛び出し部３，３’，３”’を有し、飛び出し部に切り込みにより設けられた引っ掛け手段または被引っ掛け手段４，４’，４”’があり、全体が折り線に沿って折り曲げられた時に飛び出し部 の引っ掛け手段は他の飛び出し部の被引っ掛け手段と重なり合うように設けられており、折り曲げた時に漏れ防止板５，５’は２つの飛び出し部または飛び出し部と側板部の間に抱え折り込まれることを特徴とする、生分解性の一体組み立て式多角形プランターポット。【選択図】        図２
2005095094.tif 000002
【特許請求の範囲】
【請求項１】
硬質繊維ボードが所望の折り線に沿って折り曲げられた時に、折り出される側板部（１；１’）および漏れ防止板（５；５’）が底板部（２）の辺の全部または一部に交互に折り線を介して連結されており、側辺部（１；１’）は折り線を介して連結された１つまたは２つの飛び出し部（３；３’；３”；３"'）を有し、該飛び出し部（３；３’；３”；３"'）に切り込みにより設けられた引っ掛け手段または被引っ掛け手段（４；４’；４”；４"'）があり、全体が折り線に沿って折り上げられた時に該飛び出し部（３；３"') の引っ掛け手段（４；４"'）は他の飛び出し部（３”；３’）の該被引っ掛け手段（４”；４’）または、側板部および漏れ防止板が底板部（２）の辺の一部にある場合には、側板部の該引っ掛け手段と引っ掛け重なり会うように設けられており、折り上げた時に漏れ防止板（５；５’）は２つの飛び出し部（３；３’；３”；３"'）または飛び出し部と側板部（１’）の間に抱え折り込まれることを特徴とする、生分解性の一体組み立て式多角形プランターポット。
【請求項２】
引っ掛け手段（４；４"'）が側板部（１；１’）の中央部に向かって山形または半円形に出っ張った形状を有しそして被引っ掛け手段（４’；４”）が同様に側板部の中央部に向かって山形または半円形に出っ張った形状であるかまたは直線形状である、請求項１に記載の生分解性の一体組み立て式多角形プランターポット。
【請求項３】
請求項１の生分解性の一体組立式多角形プランターポットとこれに生分解性の種苗マットとを組み合わせたことを特徴とする、生分解性プランターポット組合せ物。
【請求項４】
生分解性種苗マットが切り取り線またはミシン目線によってプランターポットに挿入するのに適する寸法に区分された板状物である、請求項３に記載の生分解性プランターポット組合せ物。
【請求項５】
請求項１の生分解性の一体組立式多角形プランターポットとこれに蔓の巻き付き用の生分解性支持具との組合せであって、該支持具が硬質繊維ボード製の柱状部材とそれの上端部で横方向で連結する硬質繊維ボード製の部材とよりなり、柱状部材は長手方向の少なくとも一方の末端に長手方向に沿って２つの切り込みがある複数のＬ字断面の部材であり、連結部材はそれを横方向で連結する手段としての少なくとも両末端付近に長手軸に対して直角に少なくとも２つの切り込みのある複数の短冊状の板状部材であり、それぞれの切り込みの幅が挟み込む相手部材の厚さに相応することを特徴とする、上記生分解性プランターポット組合せ物。
【請求項６】
請求項３または４に記載の種苗マットと請求項５の生分解性プランターポット組合せ物との組合せ物。
【発明の詳細な説明】
【技術分野】
【０００１】
本発明は、接着剤や留め具を必要とせず、現場で簡単に組み立てることができ、そして組み立て前にあっては一枚の紙であることから搬送および保管に際して最小限の空間しか必要としない一体組み立て式多角形プランターポットに関する。
【背景技術】
【０００２】
従来、プランターポットは合成樹脂、木材および陶器等で造られてきた。
【０００３】
最近では紙を利用した、苗ポットおよび植木鉢が提案されている。
【０００４】
例えば特許文献１には、側部板を曲げそしてそれの両端の会合部で両方の縁部を折り曲げて接合しそして底板を側部板に貼り付けた、紙製折りたたみ植木鉢が開示されている。この植木鉢の場合には、接着剤を必要とし、かつ筒状に折り曲げることのできる紙素材であるために十分な強度を得ることができない。
【０００５】
特許文献２には、下に窄まった角錐系筒型で底板が上から嵌め込まれている、紙製嵌め込み底植木鉢が開示されている。この植木鉢は２つの部材で構成されており、角錐系筒部は接着剤で張り合わされている。
【０００６】
特許文献３には、扇形の帯状体の紙をロール状に複数巻回して層状に重なり合わせて両側部接着結合させ、その筒体の下縁を内側に丸めてリング状凸部を形成しそしてそのリンク状凸部の上に円板形底板を載置させた紙製植木鉢が開示されている。この植木鉢の場合にも接着剤が使用され、リング状凸部の形成が複雑であり、かつ２つの部材で構成されている。
【０００７】
これらの従来技術においては、更に使用者が組み立てて使用するという簡単に組み立てられるという利便性がなく、製造元から使用者の所に搬送するにあたって、大きな容積の完成品を取り扱わなければならないという問題もある。
【０００８】
特許文献４には、植木鉢の外周を構成する壁部と該壁部に相似の補強部とを嵌合し、平面部と屈曲部とを有する底部をその屈曲部を壁部と補強部との間に挟持した、紙製植木鉢が開示されている。この植木鉢は３つの部材で構成されており、更に壁部および補強部は紙管よりなり。従って組み立ては使用者が行うこともできるが、これらの部材を搬送する場合に完成品に等しいかまたは更に大きな容積の搬送空間を必要とするという欠点を有する。従って、市場に出すとしたら完成品として販売されることになる。
【０００９】
更に本発明者は特許出願２００３−１１９８６４号（特許文献５）によって、硬質繊維ボードが所望の折り線に沿って折り曲げられた時に、折り出される側板部（１）が底板部（２）の辺に折り線を介して連結される中央部、と該中央部の１つまたは２つの側辺部に折り線を介して連結された１つまたは２つの飛び出し部（３）とで構成され、少なくとも一方の飛び出し部（３）の側辺部または側辺近部に他の側板部に対峙して突起部（４）またはそれを受け入れる嵌め込み穴（７）が設けられており、かつ該突起部（４）または該嵌め込み穴（７）に対峙して、他の側板部（１’）またはそれの飛び出し部（３）の側辺近部または側辺部に、該突起部を受け入れる嵌め込み穴（７）または突起部（４）が設けられており、２つの側板部（１）の間に抱え込まれる漏れ防止板（８）を有し、その漏れ防止板（８）が底板部（２）の辺の全部または一部に折り線を介して連結されており、
この様に構成された複数の側板部の該突起部と嵌め込み穴との嵌合により組み立てられた時に底板部（２）よりも開口が小さいかまたは同じ大きさの面積であることを特徴とする、耐水性および機械的強度を有している他に、接着剤や留め具を必要とせず、現場で簡単に組み立てることができる、生分解性の一体組み立て式多角形プランターポットを提供した。
【００１０】
しかしながらこのプランターポットの場合には、突起部と嵌め込み穴との嵌合が困難であり、かつ突起部がプランターポットに何度も注がれる水を吸い込み、膨潤して柔らかくなり留め具としての作用を示さなくなるという問題があった。
【００１１】
【特許文献１】特開２０００−９３００１
【特許文献２】特開２０００−９３００８
【特許文献３】特開２００１−４８
【特許文献４】特開２００１−７８５８１
【特許文献５】特許出願２００３−１１９８６４号
【発明の開示】
【発明が解決しようとする課題】
【００１２】
本発明の課題は、耐水性および機械的強度を有し、接着剤や留め具を必要とせず、製造元から使用者への搬送に搬送空間の最小限化が可能であり、保管に際しても最小限の空間しか必要とせず、更に現場で非常に簡単に組み立てることがでそして何度もの注水があっても留め具が機械的に強固である、生分解性の一体組み立て式プランターポット、並びにこのプランターポットと生分解性の種苗マットおよび／または蔓の巻き付き用の生分解性支持具との組合を提供することである。
【課題を解決するための手段】
【００１３】
本発明者は、鋭意研究した結果、硬質繊維ボードが所望の折り線に沿って折り曲げられた時に、折り出される側板部（１；１’）および漏れ防止板（５；５’）が底板部（２）の辺の全部または一部に交互に折り線を介して連結されており、側辺部（１；１’）は折り線を介して連結された１つまたは２つの飛び出し部（３；３’；３”；３"'）を有し、該飛び出し部（３；３’；３”；３"'）に切り込みにより設けられた引っ掛け手段または被引っ掛け手段（４；４’；４”；４"'）があり、全体が折り線に沿って折り上げられた時に該飛び出し部（３；３"') の引っ掛け手段（４；４"'）は他の飛び出し部（３”；３’）の該被引っ掛け手段（４”；４’）または、側板部および漏れ防止板が底板部（２）の辺の一部にある場合には、側板部の該引っ掛け手段と引っ掛け重なり会うように設けられており、折り上げた時に漏れ防止板（５；５’）は２つの飛び出し部（３；３’；３”；３"'）または飛び出し部と側板部（１’）の間に抱え折り込まれることを特徴とする、生分解性の一体組み立て式多角形プランターポットによってこの課題を解決した。ここで”一体組み立て式”とは一枚の硬質繊維ボードを、単に折り曲げそして組み立てることができることを意味する。
【００１４】
本発明の特に有利な実施態様においては、本発明の生分解性の一体組み立て式多角形プランターポットは、引っ掛け手段（４；４"'）が側板部（１；１’）の中央部に向かって山形または半円形に出っ張った形状を有しそして被引っ掛け手段（４’；４”）が同様に側板部の中央部に向かって山形または半円形に出っ張った形状であるかまたは直線形状であるであり、この引っかけ手段（４；４"'）と被引っ掛け手段（４’；４”）とが連結された構造を有する。この様な構造の引っ掛け手段および被引っ掛け手段は、比較的大きいために連結部が何度もの注水にも係わらず高い機械的強度維持し、非常に丈夫なプランターポットを得ることができる。引っ掛け手段および被引っ掛け手段は本来の機能を果たせば、僅かにまたは複雑にデザイン化されていてもよい。
【００１５】
本発明で使用される硬質繊維ボードは耐久性および耐水性があり、更に土壌中に埋めると３ケ月程度で分解することができる生分解性を有している、それ故にプランターポットごと植物を庭に移植することができ、プランターポットとして使用されている時には外気に接している部分が乾燥されているので腐敗分解することがなく、６〜８ケ月の長期間にわたり使用することができる。更に必要な場合には、特に長期間使用する必要のある製品の場合には、硬質繊維ボード、特に土壌と接する部分に防カビ剤を塗布又は含浸させたり、または更に土壌接触部に防水性樹脂を塗布することで防水処理を施してもよい。しかし植物の生育、開花および場合によっては結実に必要とされる期間は半年くらいであるので防カビ剤の使用や防水処理は必要ない場合が殆どである。本発明で使用される硬質繊維ボードとしては例えばバルカナイズファイバー、パスコ（製造元：北越製紙株式会社）がある。該ボードの厚さは０．８〜４ｍｍ、好ましくは１〜３ｍｍ、特に好ましくは１〜２．５ｍｍ程度である。
【００１６】
本発明は、上述の生分解性の一体組立式多角形プランターポットとこれに生分解性の種苗マットとを組み合わせたことを特徴とする、生分解性プランターポット組合せ物にも関する。
【００１７】
この種苗マットは、生分解性種苗マットを切り取り線またはミシン目線によってプランターポットに挿入するのに適する寸法に区分された板状物である。この種苗マットは積層状態でプランターポットに底辺に対して立ち上がる方向に配列してもまたは底部に対して平行に配列してもよい。更に底部近辺では平行に配置しそしてその上に立ち上がる方向に配列することも可能である。植物の根の成長を阻害しないためには、プランターポットに底辺に対して立ち上がる方向に配列するのが好ましい。
【００１８】
種苗マットとしては、化学処理を受けておらす、かつ実質的にフィブリル化されていないセルロース系繊維を抄造してなる生分解性の育苗マット、特にＨＫ育苗マット（製造元：北越製紙株式会社）、または生分解性のある他の代替え品、あるいは綿材よりなる織物、不織布等を使用できる。
【００１９】
この種苗マットには市販の肥料が含浸または混入されていてもよい。肥料としては、育苗期間中に即効性のある肥料および緩効製肥料を用途目的に応じて単独または併用してもよい。肥料の具体例としては硫安、塩安等の窒素系肥料、あるいは硫酸カリ、塩化カリ等のカリ系肥料、過リン酸石灰、リン安等のリン酸系肥料などがある。
【００２０】
更に本発明は、プランターポット、とこれに朝顔などの蔓性植物に使用する、蔓の巻き付き用の生分解性支持具との組合せにも関する。該支持具は硬質繊維ボード製の柱状部材とそれを横方向で連結する硬質繊維ボード製の部材とよりなり、柱状部材は長手方向の少なくとも一方の末端に長手方向に沿って２つの切り込みがある複数のＬ字断面の部材であり、連結部材はそれを横方向で連結する手段としての少なくとも両末端付近に長手軸に対して直角に少なくとも２つの切り込みのある複数の短冊状の板状部材であり、それぞれの切り込みが挟み込む相手部材の厚さに相応する。Ｌ字断面は一枚の板に設けた折り線またはミシン目線に沿って折り曲げることによって作ることができる。
【００２１】
この柱状部材も連結部材もプランターポット自体と同じ材質のもの、例えばバルカナイズファイバー、パスコ（製造元：北越製紙株式会社）である。該ボードの厚さは０．８〜４ｍｍ、好ましくは１〜３ｍｍ、特に好ましくは１〜２．５ｍｍ程度である。
【００２２】
本発明の好ましい実施態様においては、柱状部材の下端をプランターポットの内側に入れ、プランターポットに充填された土壌および／または種苗マットで固定してもよいし、場合によっては何らかの機械的固定手段、例えばステイプラーでの針金、糸での縫い付け等で固定してもよい。固定された柱状部材は切り込み部分を継ぎ手として別の柱状部材に柱状部材の稜部分が互い違いとなる様に継ぎ足すことができる。連結部材はその切り込み部分を柱状部材の上端の切り込み部分と継ぎ合わせ、そうして２つの柱状部材を連結する。同様に別の２つの柱状部材を連結する連結部材とこの連結部材をそれぞれの中間地点に設けた切り込み部に更に別の連結部材での両端の切り込みを継ぎ合わせてもよい。この様にして、支持具を固定することができる。この固定は連結部材の使用数に応じて強固にすることができる。
【００２３】
本発明のプランターポット、柱状部材および連結部材は折り曲げて組み立てる以前には平らな板状物でありそして種苗マットも切り分ける前は１枚〜数枚の板状物であるので、プランターポット用部材と種苗マット部材を一緒にして製造元から使用者のもとまでの搬送に際して、搬送空間を最小限にすることができ、かつ保管に際しても最小限の空間しか必要とされない。従って、通信販売や雑誌等の付録用途についても最適である。
【００２４】
プランターポットの構造は、底部より開口部が大きくとも、同じでもまたは小さくともよいが、支持具を設置する場合には、底部と開口部が同じかまたはそれに近似しているのが有利である。
【００２５】
本発明のプランターポットは、硬質繊維ボードの使用並びに側板部相互の連結を比較的に大きな連結手段、即ち引っ掛け手段と被引っ掛け手段とを使用することによって非常に高い機械的強度を達成したことにより、植物の根の生育に必要とされる土壌量を増やすことも可能である。
【００２６】
更に、非常に簡単に組み立てられることから、使用者が現場で容易に組み立てることができる。このことから、児童の教育材料として植物の生育環境の形成から植物の育成にまで関与することができ、ひいては情操教育に有効であるという利点もある。
【００２７】
本発明のプランターポットの引っ掛け手段および被引っ掛け手段の端部、折り曲げ端部には約２〜５ｍｍ程度の直径の円系の切り込みを入れるのが、折り曲げによる引き裂け伝播の防止、折り曲げの容易化のために有利である。
【００２８】
本発明のプランターポットを図面を用いて以下に更に詳細に説明するが、本発明は以下の実施態様に制限されない。
【００２９】
図１は、引っ掛け手段および被引っ掛け手段が半円形の切り込みである本発明の一つの実施態様を示す直方体状プランターポットの斜視図である。
【００３０】
図２は、引っ掛け手段および被引っ掛け手段が半円形の切り込みである本発明の一つの実施態様である直方体状プランターポットの組み立て前の展開平面図である。
【００３１】
図３は、引っ掛け手段が半円形の切り込みでそして被引っ掛け手段が直線状切り込みである本発明の一つの実施態様である直方体状プランターポットの組み立て前の展開平面図である。
【００３２】
図４は、引っ掛け手段が「く」の字形の切り込みでそして被引っ掛け手段が直線状切り込みである本発明の一つの実施態様である直方体状プランターポットの組み立て前の展開平面図である。
【００３３】
図５は、引っ掛け手段および被引っ掛け手段が「く」の字形の切り込みである本発明の一つの実施態様である直方体状プランターポットの組み立て前の展開平面図である。
【００３４】
図６は引っ掛け手段が半円形でそして被引っ掛け手段が直線状切り込みである本発明の一つの実施態様である上窄まり五角柱状プランターポットの組み立て前の展開平面図である。
【００３５】
図７は種苗マットを充填した本発明のプランターポットの切断面図を示している。
【００３６】
図８は本発明の直方体状プランターポットに支持具を取り付けたものの斜視図を示している。
【００３７】
図９は支持具の一部である柱状部材の未だ折り曲げ前の展開図である。
【００３８】
図１０は支持具の一部である連結部材の正面図である。
【００３９】
図１１は柱状部材相互の継ぎ手部分の斜視図である。
【００４０】
図２において底板部（２）に折り線を介して側板部（１）および（１’）および漏れ防止板（５）および（５’）が結合されている。硬質繊維ボードは比較的に厚くかつ硬いために、折り線にはミシン目線を設けることが望ましい。側板部は三つの部分で構成されており、中央部だけが底板部（２）と折り線を介して連結されている。側板部の残りの二つの部分はそれぞれ、上記中央部の側辺部で折り線を介して連結されている飛び出し部（３；３’）である。飛び出し部（３；３’）には半円形の引っ掛け手段または被引っ掛け手段（４；４’）の先端部が中央部に向く様に切り込まれている。プランターポットを組み立てた時には、該飛び出し部（３；３’）の引っ掛け手段または被引っ掛け手段（４；４’）に対峙して、他の側板部（１’）の飛び出し部（３”；３"'）に引っ掛け部または被引っ掛け手段（４；４’）に対応する半円形の被引っ掛け部または引っ掛け部（４" ；４"'）が同様に設けられている。
【００４１】
２つの側板部（１；１’）によって抱え折り込まれる漏れ防止板（５；５’）を有し、その漏れ防止板（５；５’）は底板部（２）の辺に折り線を介して設けられている。この場合も折り線にはミシン目の孔が設けられているのが好ましい。
【００４２】
底板には５個の排水孔（６）が設けられている。更に底板の四角に２〜５ｍｍの小さな穴を設けてもよい。この穴は排水穴として役立つだけでなく、折り曲げ加工の際に加工を容易にしかつ引き裂け伝播を防止する働きもする。
【００４３】
図１の本発明のプランターポットは飛び出し部（３）の引っ掛け部（４）を飛び出し部（３")の被引っ掛け部（４")とを引っ掛け、同様に飛び出し部（３')の被引っ掛け部（４')を飛び出し部（３"') の引っ掛け部（４"') とを引っ掛けることによって組み上げられたものである。
【００４４】
本発明のプランターポットは図１および２で説明した通り直方体でもよいが、上窄まりの立方多角体でもよく、下窄まりの立方体でもよく、更には底板部が三角形および五角形以上の立方体でもよい。しかしながら一枚の硬質繊維ボードを使用して造るという構成上、三〜六角形であるのが好ましい。三角および五角形の奇数角形の場合には、以下に図６に基づいて説明する通り、側板部の一つが底板の一つの辺の一部、好ましくは半分以上と折り線を介して連結されており、飛び出し部は一つだけである。側板部の中央部に相当し、かつそれと他の側板部に引っ掛け手段または被引っ掛け手段が設けれている。
【００４５】
図６において、五角形の底板部（２）の一辺だけが折り線を介して連結された側板部（１')および漏れ防止板（５’) が設けられている。この側板部（１’）には被引っ掛け手段を切り込まれ、これに折り線を介して連結されている飛び出し部（３’）に引っ掛け手段が切り込まれている。
【００４６】
図７には組み立てた本発明のプランターポットに種苗マットが充填されたものの、切断面図を示している。底板（２）の上に２枚の種苗マット（７）が積層されその上に種苗マット（７')を底板に対して垂直に充填してある。
【００４７】
図８には図７の種苗マットの充填されたプランターポットに支持具を組み合わせた場合の一例が図示してある。支持具の図９の柱状部材（９）が直方体のプランターポットの四つの隅に接して背を向けて底板から垂直に立てられており、その上端部で柱状部材の切り込み部に図１０の連結部材（１０）の切り込み部を合わせてかみ合わせ、隣接する柱状部材同士を連結部材で連結している。この連結部材の中間地点に設けた切り込み部に別の連結部材の末端の切り込みをかみ合わせ、その別の連結部材のもう一方の末端の切り込みを同様に別の２つの柱状部材を連結する連結部材の中間部の切り込みにかみ合わせた図を示している。
【００４８】
図１１は柱状部材同士をそれぞれの切り込み部を互いにかみ合わせた状態を図示している。
【発明の効果】
【００４９】
この様に構成された本発明のプランターポットは、接着剤や留め具を必要とせず、組み立てが非常に簡単で、現場で簡単に組み立てることができ、硬質繊維ボードで造られているために耐水性がありかつ植物を育成させるための何度もの注水があっても連結部が強固であるために十分な機械的強度を有し、組み立て前にはプランターポット部材及び種苗マット部材及び場合によって使用される支持具が共に平らなボードであるために、運送空間および保管空間を最小限にすることができるという、一体組み立て式の画期的なものである。
【図面の簡単な説明】
【００５０】
【図１】図１は、引っ掛け手段および被引っ掛け手段が半円形の切り込みである本発明の一つの実施態様を示す直方体状プランターポットの斜視図である。
【図２】図２は、引っ掛け手段および被引っ掛け手段が半円形の切り込みである本発明の一つの実施態様である直方体状プランターポットの組み立て前の展開平面図である。
【図３】図３は、引っ掛け手段が半円形の切り込みでそして被引っ掛け手段が直線状切り込みである本発明の一つの実施態様である直方体状プランターポットの組み立て前の展開平面図である。
【図４】図４は、引っ掛け手段が「く」の字形の切り込みでそして被引っ掛け手段が直線状切り込みである本発明の一つの実施態様である直方体状プランターポットの組み立て前の展開平面図である。
【図５】図５は、引っ掛け手段および被引っ掛け手段が「く」の字形の切り込みである本発明の一つの実施態様である直方体状プランターポットの組み立て前の展開平面図である。
【図６】図６は引っ掛け手段が半円形でそして被引っ掛け手段が直線状切り込みである本発明の一つの実施態様である上窄まり五角柱状プランターポットの組み立て前の展開平面図である。
【図７】図７は種苗マットを充填した本発明のプランターポットの切断面図を示している。
【図８】図８は本発明の直方体状プランターポットに支持具を取り付けたものの斜視図を示している。
【図９】図９は支持具の一部である柱状部材の未だ折り曲げ前の展開図である。
【図１０】図１０は支持具の一部である連結部材の正面図である。
【図１１】図１１は柱状部材相互の継ぎ手部分の斜視図である。
【符号の説明】
【００５１】
１、１’・・・側板部
２・・・      底板部
３、３’、３”および３"'・・・飛び出し部
４、４’、４”および４"'・・・引っ掛け部または被引っ掛け部
５、５’・・・漏れ防止板
６・・・      排水穴
７、７’・・・種苗マット
８・・・      開口部
９、９’・・・柱状部材
１０・・・    連結部材
【図１】
2005095094.tif 000003
【図２】
2005095094.tif 000004
【図３】
2005095094.tif 000005
【図４】
2005095094.tif 000006
【図５】
2005095094.tif 000007
【図６】
2005095094.tif 000008
【図７】
2005095094.tif 000009
【図８】
2005095094.tif 000010
【図９】
2005095094.tif 000011
【図１０】
2005095094.tif 000012
【図１１】
2005095094.tif 000013